(57)【要約】【課題】  ユーザの好む映像を自動録画可能で、しかもその自動録画のためのユーザによる操作を最小限とし、さらに不必要に記録容量を消費することのない映像記録装置を提供する。【解決手段】  この発明の映像記録装置１は、記録部１０において記録すべき番組のリストを録画制御部６０にて作成して保持し、その記録すべき番組のリストに登録された記録すべき番組の記録可能な大きさを記録部が記録可能な記録容量に対して所定の割合に規定でき、また記録領域を容易に特定可能としたことを特徴とする。【選択図】      図１
2006324781.tif 000002
【特許請求の範囲】
【請求項１】
番組（タイトル）を、その番組（タイトル）を単位として記録する記録部と、
前記記録部が記録すべき番組のリストを保持する記録リスト保持部と、
前記記録リスト保持部が保持する前記記録すべき番組のリストに従って記録すべき番組を特定する録画管理部と、
前記録画管理部に対して、前記記録リスト保持部に保持される前記記録すべき番組のリストの書き換え、追加、消去ならびにその判定条件、および記録すべき番組の記録可能な大きさを指示可能な条件入力部と、
を有することを特徴とする映像記録装置。
【請求項２】
前記条件入力部は、前記録画管理部に対し、前記記録すべき番組の記録可能な大きさを所定の大きさに制限可能であることを特徴とする請求項１記載の映像記録装置。
【請求項３】
前記条件入力部により制限される前記記録すべき番組の記録可能な大きさは、前記記録部が記録可能な記録容量に対して、所定の割合に規定されることを特徴とする請求項２記載の映像記録装置。
【請求項４】
前記条件入力部により制限される前記記録すべき番組の記録可能な大きさは、前記記録部が記録可能な記録時間に対して、所定の割合に規定されることを特徴とする請求項２記載の映像記録装置。
【請求項５】
前記条件入力部により制限される前記記録すべき番組の記録可能な大きさは、任意に設定可能であることを特徴とする請求項２ないし４のいずれかに記載の映像記録装置。
【請求項６】
前記録画管理部は、前記記録リスト保持部が保持する前記記録すべき番組のリスト内の録画対象の番組を録画した場合に前記記録すべき番組の記録可能な大きさを超えると判断できた場合に、録画対象の番組の録画予約を解除することを特徴とする請求項２記載の映像記録装置。
【請求項７】
前記録画管理部は、前記記録リスト保持部が保持する前記記録すべき番組のリストに、録画対象の番組を追加した場合に前記記録すべき番組の記録可能な大きさを超えると判断できた場合に、録画対象の番組の録画予約を受け付けないことを特徴とする請求項２記載の映像記録装置。
【請求項８】
記録部において記録すべき番組のリストを作成し、
記録すべき番組のリストに登録されている番組を記録すべき記録部内の記録領域を予め特定し、
特定された記録部内の記録領域と記録すべき番組のリストの作成に利用された条件を、記録領域と関連付けて記録すべき番組のリストに登録されている番組を記録    
することを特徴とする自動録画機能つき映像記録装置。
【請求項９】
記録すべき番組のリストに登録されている番組を記録すべき記録部内の記録領域は予め規定された容量および管理名称が与えられていることを特徴とする請求項８記載の映像記録装置。
【請求項１０】
記録すべき番組のリストに登録されている番組を記録すべき記録部内の記録領域が規定される領域は、任意に設定可能であることを特徴とする請求項９記載の映像記録装置。
【請求項１１】
記録すべき番組のリストに登録されている番組を記録すべき記録部内の記録領域の容量は、任意に設定可能であることを特徴とする請求項９記載の映像記録装置。
【発明の詳細な説明】
【技術分野】
【０００１】
この発明は、ユーザの好みの映像を自動録画する機能およびその機能を有する映像記録装置に関する。
【背景技術】
【０００２】
記録可能時間が１００時間を越える容量の記録装置であるハードディスク（ＨＤＤ）等が組み込まれた映像録画装置（以下、ハードディスク付レコーダと呼称する）が広く普及している。
【０００３】
ハードディスクレコーダは、従来のＶＴＲ（Video Tape Recorder）に比較すると、デジタル信号を圧縮して記録する点で異なり、そのため映像供給元としては、従来からの公衆向け放送（テレビ放送）に加え、ユーザが好む番組（タイトル）をネットワーク網により接続された配信先から購入（ダウンロード）する、という選択枝も展開されている。
【０００４】
このような映像記録装置においては、放送局または配信先から番組とは別に提供される電子番組情報（Electronic Program Guide）を利用して、自動的に任意の番組の録画を予約し、あるいは実際に録画することができる。
【０００５】
なお、公衆向けに、放送として配信されるプログラム（番組）を予約記録する際に利用される番組情報検索システムにおいて、放送から受像機（テレビ）にて取り込んだテレビ欄（放送）データを、例えばパーソナルコンピュータにより検索し、ソート（編集）して受像機に予約可能としたシステム、が既に提案されている（例えば、特許文献１）。
【特許文献１】特開平７−１６０７３２号公報
【発明の開示】
【発明が解決しようとする課題】
【０００６】
しかしながら、特許文献１には、ユーザが好む番組を自動的に予約する機能や、それを可能とする映像記録装置については、なんら記載がない。
【０００７】
この発明の目的は、ユーザの好む映像を自動録画可能で、しかもその自動録画のためのユーザによる操作を最小限とし、さらに不必要に記録容量を消費することのない映像記録装置を提供することである。
【課題を解決するための手段】
【０００８】
この発明は、番組（タイトル）を、その番組（タイトル）を単位として記録する記録部と、前記記録部が記録すべき番組のリストを保持する記録リスト保持部と、前記記録リスト保持部が保持する前記記録すべき番組のリストに従って記録すべき番組を特定する録画管理部と、前記録画管理部に対して、前記記録リスト保持部に保持される前記記録すべき番組のリストの書き換え、追加、消去ならびにその判定条件、および記録すべき番組の記録可能な大きさを指示可能な条件入力部と、を有することを特徴とする映像記録装置を提供するものである。
【発明の効果】
【０００９】
本発明の映像記録装置においては、ユーザに、「自動録画するための煩雑な作業を要求する」ことなく、自分の好みとして想定される（ユーザが好むと判定された）任意の番組（タイトル）を自動的に録画可能である。
【００１０】
また、自動録画により、不本意に記録部の記録残り容量が消費されることが抑止でき、ユーザによる録画済み番組のチェックが煩雑となることが防止できる。
【００１１】
また、自動録画されたタイトル（番組）は、独立して管理可能であり、自動録画されたタイトルの検索が容易となる。
【発明を実施するための最良の形態】
【００１２】
以下、図面を参照して、この発明の実施の形態について詳細に説明する。
【００１３】
図１に、本発明の実施の形態が適用可能な映像記録装置の構成の一例を示す。
【００１４】
映像記録装置１は、後段に、それぞれを詳細に説明するが、記録／再生部１０、データ処理部２０、映像入力部３０、映像出力部４０、録画制御部６０、表示制御部７０および主制御部５０等を含む。
【００１５】
記録／再生部１０は、例えばハードディスク記録装置を有し、公衆向けに、テレビ放送として放送局から送信される映像（番組）を１００時間程度記録可能な容量が与えられたハードディスクドライブ部（以下、ＨＤＤと示す）１２、ＨＤＤ１２と同様の規格で圧縮されたデータ（番組）が記録可能で、外部へのデータ（番組）の持ち出しと、外部からの持ち込みを可能とする記録媒体、例えば光ディスクへのデータの記録と再生に利用される光ディスクドライブ部１３、およびＨＤＤ１２および／または光ディスクドライブ部１３と、以下に詳述するデータ処理部２０との間で、圧縮されたデータ（映像信号＝番組）の転送に利用されるデータ転送制御部１１を含む。
【００１６】
記録／再生部１０においては、データ処理部２０において圧縮されたデジタル信号が、例えばユーザによる指示に応じ、データ転送制御部１１を経由して、ＨＤＤ１２内の所定の記録領域または光ディスクドライブ部１３にセットされた光ディスクＤに記録される。もちろん、再生要求があった場合、要求に応じて再生されたデータがデータ処理部２０に出力される。
【００１７】
データ処理部２０は、データ編集部２１、エンコーダ２２、デコーダ２３、および音声映像処理部２４等を含み、後段に説明する映像入力部３０から供給されるデータ（番組）を所定形成に圧縮したのち記録／再生部１０に転送するとともに、再生要求に従って記録／再生部１０から出力されたデータを復号して、後段の映像出力部４０に出力する。
【００１８】
データ編集部２１においては、圧縮されたデータを記録／再生部１０に転送する際に、記録するための区分、例えば任意数のフォルダ（ディレクトリ）のうちの特定されたフォルダに対して、記録対象の番組（データ）を記録が指示されるとともに、その番組に「番組名」や「映画」・「音楽」等の「ジャンル識別名」、「アーティスト（出演者）名」等の『データ特定項目』が付加可能である。もちろん、既に付加された『データ特定項目』は、編集もしくは消去可能である。なお、データ編集部２１においては、本件出願の実施の形態との関連が少ないため詳細な説明を省略するが、例えば既に録画されている番組の一部の削除や全部の削除、任意に選択された番組（データ）の複数のチャプタ（小区分）への分割や、その分割されたチャプタ（小区分）の再生順の設定等も、可能である。
【００１９】
エンコーダ２２は、周知の圧縮器であり、映像入力部３０を経由して供給されるデータ（番組）は、予め指定された圧縮方法（規格）および圧縮率で（エンコーダ２２により）圧縮される。なお、エンコーダ２２には、周知の多重化部が組み込まれてもよい、ことはいうまでもない。
【００２０】
デコーダ２３は、周知の復号器（伸長器）であり、エンコーダ２２による圧縮方法（規格）に対応する復号方法（規格）で、記録／再生部１０から供給されるデータ（番組）を復号（伸長）して、後段の映像出力部４０に向けて出力する。また、デコーダ２３には、周知の分離部が組み込まれてもよいことはいうまでもない。
【００２１】
音声映像処理部２４においては、デコーダ２３において復号された映像データと（通常は、映像信号と独立に復号される）音声データとが、合成される（出力タイミングが整合される）。なお、映像出力部４０に向けて出力されるデータには、音声映像処理部２４により、必要に応じて、ＯＳＤ表示（ＯＳＤ５４により生成される操作用画面表示）が合成される。
【００２２】
映像入力部３０は、例えば外部からの映像信号／入力信号の入力を受け入れる外部入力部３１、例えば放送衛星（ＢＳ）もしくは通信衛星（ＣＳ）を通じて提供される番組（データ）を受け入れるためのＢＳ／ＣＳチューナ部３２、例えば放送局からの公衆向け放送を受け入れるための地上波チューナ部３３、およびネットワーク網を経由して配信元から供給される（視聴可能な）データ（番組）受け入れるネットワークコントローラ３４等を有する。なお、ネットワークコントローラ３４は、例えば公衆通信網（電話回線）と接続可能であり、通信網を介して、外部との間で任意に、データの授受が可能である。
【００２３】
外部入力部３１、ＢＳ／ＣＳチューナ部３２、地上波チューナ部３３、ならびにネットワークコントローラ３４等は、セレクタ部３５と接続され、先に説明したエンコーダ２２（データ処理部２０）に供給されるデータ（番組）は、エンコーダ２２が同時に処理可能なタイトル（番組）数または容量もしくは転送レート等に基づいて、（セレクタ部３５により）規定される。
【００２４】
映像出力部４０は、音声映像処理部２４（データ処理部２０）から出力された復号済み信号（再生映像および音声）を、セレクタ４１を経由して、外部出力部４２、Ｉ／Ｆ（インタフェース４３、広く一般に普及しているテレビ（モニタ）Ｍに出力する映像／音声出力端４４等を含む。なお、ｌ／Ｆ４３の出力は、例えばパーソナルコンピュータ（ＰＣ）や、家庭内あるいは企業内等において普及している小規模ネットワークや、ＩＥＥＥ１３９４等に代表される特定のプロトコルに従うデータ転送システムとして利用可能である。
【００２５】
主制御部５０は、上述した記録／再生部１０、データ処理部２０、映像入力部３０および映像出力部４０のそれぞれに加え、以下に説明する録画制御部６０と表示制御部７０とを含む映像記録装置１の動作を制御するもので、個々の要素間における制御信号の伝送に利用される制御バス５１、主制御装置であるＭＰＵ（Main Processing Unit）５２、ワーク（キャッシュ）メモリ（ＲＡＭ）５３、ＯＳＤ（On Screen Display）ユニット５４、ならびにＭＰＵ５２のファームウエアとして（もしくは図示しないが、独立して）設けられ、映像記録装置１を動作させるためのイニシャルプログラムや、個々の制御コマンドに対応する動作や信号処理の方法、通信のための手続き等が記録されているＲＯＭを含む。
【００２６】
録画制御部６０は、例えば録画情報制御部６１、番組表生成部６２および録画予約制御部６３等を含む。
【００２７】
録画情報制御部６１では、例えばネットワーク網を通じて接続された外部のサーバ（情報供給元）１０１（後述）や映像配信先（ネットワーク網によりアクセス可能な映像提供機関（情報供給元１０１とは独立している場合もある）等により提供される電子番組情報（Electronic Program Guide，以下、ＥＰＧと示す）に基づいて、ユーザによる録画予約の設定（入力／解除（消去））および予約情報の変更等が可能である。
【００２８】
番組表生成部６２においては、（サーバ１０１から取得される）ＥＰＧおよび録画情報制御部６１により規定される［予約番組リスト］や、ＥＰＧに対応する表示すなわち番組表を、映像出力部４０に接続されるモニタ装置（テレビ）の画面として表示可能に、画面表示がデザイン（生成）される。
【００２９】
録画予約制御部６３においては、例えば、録画すべき番組（データ）名やその供給元、ならびに日時等の録画条件が保持されるとともに、実際の録画のために時刻（日時）情報が管理される。なお、録画予約制御部６３は、以下に説明する表示制御部７０と共用可能なタイマ（時計）コントローラ（タイママイコン）が含まれてもよい。
【００３０】
表示制御部７０は、例えば映像記録装置１の詳述しない表示パネルに設けられる時計部への時刻および年月日の表示や、装置の動作状態、録画予約の有無、録画時の録画モード等が表示される表示部７２と、表示パネル（もしくは装置１の所定の位置）に設けられる操作部７３、および表示部７２への表示ならびに操作部７３を経由してユーザにより入力される制御コマンドあるいは入力情報を授受するための、パネル制御部７１等を含む。
【００３１】
なお、例えばリモコン端末Ｒにより入力される制御コマンドおよび入力情報は、図１に示す本件の映像記録装置１においては、部７３または表示部７２の所定の位置に設けられる（図示しない）リモコン信号受信部において受け入れられ、パネル制御部７１を通じて主制御部５０に入力される。もちろん、リモコン（端末）Ｒからの信号（コマンド）は、図示しないが専用の受信部を経由してそのまま主制御部５０に供給されてもよいことはいうまでもない。
【００３２】
リモコン端末Ｒは、映像記録装置１による映像の録画に際して、録画先、例えばＨＤＤ１２または光ディスクＤ（光ディスクドライブ部１９）の特定、既に記録されている映像（番組）やそのタイトルまたは『データ特定項目』の編集、映像供給元の切り替えおよび予約録画の設定等に代表される各種、制御コマンドならびに入力すべき情報の入力に利用される。
【００３３】
ネットワークコントローラ３４を経由して接続可能なネットワーク網、例えば広く利用されているインターネットを介して接続されるサーバ（情報供給元）１０１には、例えば番組情報登録部１１１、番組情報格納部１１２、および通信部（通信制御部）１１３等が用意されている。なお、サーバ１０１には、例えば直接（専用線）またはインターネットを通じて、映像供給元である放送局Ｔ等が情報を提供可能に接続されている。
【００３４】
図２は、図１に示した映像記録装置において、映像出力部に接続されたモニタ（一般にはテレビ受像機）に表示される「番組ナビ（ナビゲーション）画面」の『メニュー画面』の表示例を示す。なお、以下に説明する個々の『表示』は、映像記録装置において、映像出力部４０に接続されたテレビ受像機（モニタ）の画面に表示される表示例であり、その『表示』となる表示パターンは、例えば主制御部５０のＯＳＤ５４を経由して、音声映像処理部２４で（受像機が表示可能な）ビデオ信号に重ね合わせられる。また、ＯＳＤ５４において生成されるパターンは、例えば録画制御部６０の番組表生成部６２や、ＭＰＵ５２のファームウエアまたは主制御部５０に用意される図示しないＲＯＭ等に、予め格納されている。
【００３５】
図２において、『表示』２０１には、「おまかせ録画」に利用される『キーワード入力表示』を表示していることを示す『タイトル表示』２０２が含まれる。『タイトル表示』２０２内またはその近傍の所定位置には、例えば「日付と時刻（「月／日」「（曜日）」「時刻」）」が『時刻表示』２０３として表示される。
【００３６】
『表示』２０１において、『タイトル表示』２０２の近傍または所定の位置には、「おまかせ録画」に用いるキーワードが入力可能な『キーワード［１］表示』２１１、同第２のキーワードが入力可能な『キーワード［２］表示』２１２、同第３のキーワードが入力可能な『キーワード［３］表示』２１３が表示される。なお、キーワード［１］は、「おまかせ録画」機能を動作させるためには、必須の入力項目であり、キーワード［２］は、キーワード［１］をさらに絞り込む項目のうちのキーワード［１］に加えて含むべき項目である。一方、キーワード［３］は、キーワード［１］をさらに絞り込む項目のうちのキーワード［１］から除外すべき（含まない）項目である。
【００３７】
『表示』２０１において、『キーワード［１］表示』〜『キーワード［３］表示』２１１〜２１３の近傍には、「おすすめ録画」を可能とするための『キーワード［１］表示』〜『キーワード［３］表示』２１１〜２１３と合わせて利用される自動録画特定要件、例えば「ジャンル」が入力可能な『ジャンル表示』２１４、同「日付（月日）」が入力可能な『日付表示』２１５、同「録画すべき時間帯」が入力可能な『時間帯表示』２１６、同「録画すべきチャンネル（映像供給源）」が入力可能な『チャンネル表示』２１７等、に代表されるユーザの好みに関連する項目（条件）を設定可能な複数の『表示』が表示される。また、例えば「録画すべき番組を初回放送のみとするか否か（再放送を除く）」を、特定可能な『再放送選択表示』２１８や、「１日あたりの録画時間」を設定可能な『自動録画選択表示』２１９等が、同『表示』２０１の所定の位置に表示される。
【００３８】
なお、『表示』２０１において、『タイトル表示』２０２と画面上で概ね対をなす位置（例えば『キーワード［１］表示』〜『キーワード［３］表示』２１１〜２１３の近傍、あるいは上述したさまざまな『表示』に対して視覚的な制約を与えることのない位置）には、ユーザによる選択指示、例えばリモコン端末Ｒの操作により、「キーワード」の入力やの任意の『バー（項目）表示』の選択、選択された『バー（項目）表示』を確定する制御コマンドの入力等に用いられる『選択／決定表示』２０４が表示される。
【００３９】
『表示』２０４には、『キーワード［１］表示』〜『キーワード［３］表示』２１１〜２１３や複数の『バー（項目）表示』２１４〜２１９を選択するための『項目（バー）選択表示』２０５、選択された項目（バー）を確定するための『決定表示』２０６、１つ前の操作（動作）に対応する表示（画面）を表示させるための『戻る表示』２０７等が表示される。なお、それぞれの『表示』２０５〜２０７は、例えばリモコン端末Ｒからの制御コマンドの入力を促すガイド表示であり、詳述しないがリモコン端末Ｒに設けられている入力キーに割り当てられている「名称（ボタン名）」を表示している。
【００４０】
また、『表示』２０１の所定の位置には、キーワード［１］〜［３］を用いて、ユーザから特定された条件を満足する番組が存在するか否かの「検索開始」コマンドを入力可能とする『検索開始表示』２２１および検索により特定された番組が存在した場合に、その番組を予約登録するための「登録」コマンドを入力可能とする『登録表示』２３１が表示される。この『検索開始表示』２２１によりユーザが、任意のタイミングで、特定の番組を検索し、その（検索された）番組を手動にて、予約登録可能となる。
【００４１】
図３は、図２に示した「番組ナビ（ナビゲーション）画面」の『メニュー画面』から、例えば［おまかせ番組録画の対象となる番組（タイトル）］の一覧表示である『おまかせ一覧画面』が選択された場合の表示例を示す。なお、以下に説明する個々の『表示』は、図２において既に説明したが、映像記録装置において、映像出力部に接続されたテレビ受像機の画面に表示される表示例であり、その『表示』となる表示パターンは、ＯＳＤを経由して音声映像処理部でビデオ信号に重ね合わせられることはいうまでもない。また、ＯＳＤにおいて生成されるパターンは、例えば録画制御部の番組表生成部や、ＭＰＵのファームウエアまたは主制御部に用意される図示しないＲＯＭ等に、予め格納されている。
【００４２】
図３において、『表示』３０１には、「おまかせ番組録画の対象番組（タイトル）」表示のうちの任意の１ページ分が表示されていることを示す『タイトル表示』３０２が含まれる。『タイトル表示』３０２内またはその近傍の所定の位置には、『時刻表示』３０３と、現在表示されている『おまかせ番組録画の対象番組（タイトル）のページ数を示す表示』３１０が含まれる。
【００４３】
『表示』３０１において、『タイトル表示』３０２の近傍または所定の位置には、「おまかせ番組録画」表示における「項目名」をユーザに報知するための『項目名表示』３１１、複数の「おまかせ番組録画対象番組（タイトル）」の存在、および任意の「おまかせ番組録画対象番組（タイトル）」が選択可能を示す複数の『バー（項目）表示』群３１２が表示される。
【００４４】
『表示』３０１において、『タイトル表示』３０２と画面上で概ね対をなす位置（『バー（項目）表示』群３１２に関連付けられた所定の位置）には、ユーザによる選択指示、例えばリモコン端末Ｒの操作により、『バー（項目）表示』群３１２の任意の『バー（項目）表示』の選択、選択された『バー（項目）表示』を確定する制御コマンドの入力等に用いられる『選択／決定表示』３０４が表示される。
【００４５】
『表示』３０４には、『バー（項目）表示』群３１２の任意の『バー（項目）表示』を選択するための『項目（バー）選択表示』３０５、１つ前の操作（動作）に対応する表示（画面）を表示させるための『戻る表示』３０７、任意の『バー（項目）表示』において案内されている番組（タイトル）を録画予約するための「予約」コマンドを入力するために利用される『予約表示』３０８、任意の『バー（項目）表示』において案内されている番組（タイトル）の詳細な説明を表示させるための『番組説明表示』３０９、等の表示が含まれる。なお、それぞれの『表示』３０５，３０７〜３０９は、例えばリモコン端末Ｒからの制御コマンドの入力を促すガイド表示であり、詳述しないがリモコン端末Ｒに設けられている入力キーに割り当てられている「名称（ボタン名）」を表示している。
【００４６】
『表示』３０１において、『項目名表示』３１１および『バー（項目）表示』群３１２の近傍には、例えば『項目選択表示』３０５により、現在（仮に）選択された状態にある『バー（項目）表示』３１２に対応する番組名（タイトル）が表示される『番組名（タイトル）表示』３１３とその番組に関するデータが表示される『番組データ表示』３１４が表示される。なお、『番組データ表示』３１４には、例えば［放送（配信）源］、［ジャンル］、［音声モード］、［画面サイズ情報］等が含まれる。
【００４７】
図４は、図２および図３に示した「おまかせ番組録画対象番組（タイトル）」から自動的に番組を録画可能とする「おまかせ自動録画」において、映像記録装置に録画予約を設定する（サーバに保持されているおすすめ情報から「自動録画リスト」を作成する）工程の一例を説明するフローチャートである。なお、図１に示した映像記録装置においては、録画制御部の録画予約制御部（または所定の記録領域）に「自動録画リスト」が生成され、そのリストに従って、放送（映像）が自動的に録画される。
【００４８】
図４に示す通り、ステップＳ４０１において、録画合計容量［Ｓｕｍ］に、［Ｓｕｍ］＝「０」がセットされる（初期化される）。なお、容量は、例えば録画可能データサイズ（バイトを単位とする）や録画可能時間長（記録残量時間）等により管理される。
【００４９】
次に、自動録画対象番組の有無がチェック（検索）される（Ｓ４０２）。
【００５０】
ステップＳ４０２における検索結果から自動録画対象番組が存在すると判断された場合（Ｓ４０３−Ｙｅｓ）、対象番組のサイズ（容量）Ａが求められる（Ｓ４０４）。なお、対象番組のサイズ（容量）Ａは、例えばデータサイズ（Ｍバイト（Ｋバイト）を単位とする）や時間長（番組の総時間）等により管理される。
【００５１】
ステップＳ４０４において求められた対象番組のサイズＡが録画合計量Ｓｕｍに加算され、その加算値（総和）が予め決められている（おまかせ自動録画のための）制限容量と比較される（Ｓ４０５）。
【００５２】
ステップＳ４０５において、対象番組のサイズＡと録画合計量Ｓｕｍとが制限容量を超えないことが判断された場合（Ｓ４０５−Ｎ）、［Ｓｕｍ］が［Ｓｕｍ＋Ａ］に書き換えられる（Ｓ４０６）。
【００５３】
以下、例えば録画制御部６０の録画予約制御６３により、所定の記録領域に、対象番組が予約登録される（Ｓ４０７）。
【００５４】
このようにして、サーバ１０１の番組情報登録部１１１および番組情報格納部１１２に保持されているＥＰＧと、予めユーザにより設定（登録）された「おまかせ番組」の好みに応じて、ユーザの好みに応じた（ユーザが好むと判定された）任意の番組（タイトル）の自動録画が予約される。
【００５５】
なお、自動録画に際して、予め録画すべき番組（タイトル）が、例えば「予約リスト」に登録される。このため、上述したステップＳ４０４〜Ｓ４０６における容量の計算は、録画された番組のサイズ（録画済み番組の総データ量（残り録画容量））から判定されることももちろん可能である。しかしながら、録画予約の時点で、例えば「予約リスト」に記録されている番組のサイズを比較し、既に録画予約が容量の面でいっぱいである場合には、予約登録をしない（予約を受け付けない）とする制御も可能である。
【００５６】
図５は、図２ないし図４に示した「おまかせ自動録画」において、自動的に録画される番組を、ユーザが容易に識別可能とする録画方法を設定するための表示の一例を示す。
【００５７】
図５は、図２に示した「番組ナビ（ナビゲーション）画面」からユーザの好みの録画を可能とする［おまかせセット（Ｎ、Ｎは任意の整数または識別記号）］を設定可能とする表示例を示す。なお、以下に説明する個々の『表示』は、図２において既に説明したが、映像記録装置において、映像出力部に接続されたテレビ受像機の画面に表示される表示例であり、その『表示』となる表示パターンは、ＯＳＤを経由して音声映像処理部でビデオ信号に重ね合わせられることはいうまでもない。また、ＯＳＤにおいて生成されるパターンは、例えば録画制御部の番組表生成部や、ＭＰＵのファームウエアまたは主制御部に用意される図示しないＲＯＭ等に、予め格納されている。なお、図２を用いて既に説明した『表示』と実質的に同等の機能が与えられた『表示』については、５００台の符号を付して詳細な説明を省略する。
【００５８】
図５において、『表示』５０１には、「おまかせセット（Ｎ）」設定」が表示されていることを示す『タイトル表示』５０２と『時刻表示』５０３が含まれる。
【００５９】
『表示』５０１において、『タイトル表示』５０２の近傍または所定の位置には、『キーワード［１］表示』〜『キーワード［３］表示』５１１〜５１３が表示される。
【００６０】
『キーワード［１］表示』〜『キーワード［３］表示』５１１〜５１３の近傍には、例えば『ジャンル表示』５１４、『日付表示』５１５、『時間帯表示』５１６、『チャンネル表示』５１７等、に代表されるユーザの好みに関連する項目（条件）を設定可能な複数の『表示』が表示される。また、例えば『再放送選択表示』５１８や、『自動録画選択表示』５１９等が、録画条件の設定に利用される『表示』が、所定の位置に表示される。
【００６１】
なお、『表示』５０１において、『タイトル表示』５０２と画面上で概ね対をなす位置（例えば『キーワード［１］表示』〜『キーワード［３］表示』５１１〜５１３の近傍、あるいは上述したさまざまな『表示』に対して視覚的な制約を与えることのない位置）には、ユーザによる選択指示、例えばリモコン端末Ｒの操作により、「キーワード」の入力やの任意の『バー（項目）表示』の選択、選択された『バー（項目）表示』を確定する制御コマンドの入力等に用いられる『選択／決定表示』５０４（『項目（バー）選択表示』５０５、『決定表示』５０６、『戻る表示』５０７等）が表示される。
【００６２】
なお、それぞれの『表示』５０５〜５０７は、例えばリモコン端末Ｒからの制御コマンドの入力を促すガイド表示であり、詳述しないがリモコン端末Ｒに設けられている入力キーに割り当てられている「名称（ボタン名）」を表示している。
【００６３】
また、『表示』５０１の所定の位置には、キーワード［１］〜［３］を用いて、ユーザから特定された条件を満足する番組を自動録画する際に、その番組を「記録／再生部１０のどこに記録するか」を特定可能とする『フォルダ表示』５４１、それまでのユーザによる入力をリセットするためのコマンドを入力可能な『リセット表示』５５１およびそれまでにユーザから入力／特定された条件（入力）を確定するための「登録」コマンドを入力可能とする『登録表示』５３１が表示される。
【００６４】
なお、『フォルダ表示』５４１は、「おまかせ自動録画」により自動録画された番組が「記録／再生部１０のどこに記録されているか」をユーザが容易に特定可能とするために有益である。例えば、「おまかせ自動録画」により録画された番組を、特定のフォルダに集約して保存することで、ユーザは、ユーザが直接（手動により）予約して録画した番組と、容易に識別可能である。また、『フォルダ表示』５４１により特定されるフォルダの容量を予め設定（図２参照）することにより、例えばＨＤＤ１２（記録／再生部１０）の記録容量が、不本意に消費されることが防止される。このことは、例えばユーザが手動で予約登録したタイトル（番組）が、ＨＤＤ１２の容量不足により、録画不能となることを抑止可能である。
【００６５】
図６は、図５に示した『フォルダ表示』において特定されるフォルダの構成を概略的に示す。
【００６６】
例えば、ＨＤＤ１２内の記録領域は、仮想的に複数の「フォルダ（ユーザが付与した、あるいは予め設定されている呼称）」に区画されている。
【００６７】
個々の「フォルダ」としては、例えば「フォルダＡ」６０１−１〜「フォルダＸ」６０１−ｎが規定されている。
【００６８】
それぞれの「フォルダ」には、例えば「フォルダＡ」を例にとり説明すると、タイトル（１）６０１−１１〜タイトル（ｘ）が関連付けられている。
【００６９】
それぞれのタイトル（１）〜タイトル（ｘ）には、図６に示す例では、タイトル（１）には、チャンネル（１）６０１−２１が、タイトル（２）には、チャンネル（２）が、それぞれ関連付けられている。
【００７０】
それぞれのタイトル（１）〜（ｘ）には、チャンネル（１）〜（ｘ）に続いて、例えば開始日時６０１−３１（−３ｘ）、終了日時６０１−４１（−４ｘ）、ジャンル６０１−５１（−５ｘ）、内容概略６０１−６１（−６ｘ）およびまたは録画モード６０１−７１（−７ｘ）等の情報が関連付けられている。
【００７１】
図７は、図５および図６に示した「おまかせ番組録画対象番組（タイトル）」から自動的に番組を録画可能とする「おまかせ自動録画」において、映像記録装置の記録／再生部のどこに録画された番組（タイトル）を記録するかを特定して記録する工程の一例を説明するフローチャートである。
【００７２】
図７に示す通り、ステップＳ７０１において、自動録画対象番組の有無がチェック（検索）される。
【００７３】
ステップＳ７０１における検索結果から自動録画対象番組が存在することが検索された場合（Ｓ７０２−Ｙｅｓ）、録画対象番組を記録（保存）すべきフォルダとして特定されているフォルダ情報（ここでは、フォルダ名「Ａ」）が取得される（Ｓ７０４）。
【００７４】
次に、ステップＳ７０４において取得されたフォルダ名のフォルダが、録画対象番組の保存先として指定される（Ｓ７０５）。
【００７５】
以下、録画対象番組に関する録画予約登録において、例えば録画制御部６０の録画予約制御６３により、所定の記録領域に、対象番組が予約登録されるフォルダ情報として、フォルダ「Ａ」が指定され、予約登録される（Ｓ７０６）。
【００７６】
このように、「おまかせ自動録画」に用いられる記録領域の容量を、予め所定の大きさ（サイズ）に区分し、「おまかせ自動録画」により録画された番組を区分されたフォルダに、順次記録することで、予めユーザにより設定（登録）された「おまかせ番組」の好みに応じて、ユーザの好みに応じた（ユーザが好むと判定された）任意の番組（タイトル）の自動録画が、保存（記録）先が特定された状態で、（所定の容量に達するまで）自動的に予約される。
【００７７】
以上説明したように、本発明の映像記録装置においては、ユーザに「自動録画するための煩雑な作業を要求する」ことなく、自分の好みとして想定される（ユーザが好むと判定された）任意の番組（タイトル）を自動的に録画可能である。また、自動録画により、不本意に記録部の記録残り容量が消費されることが抑止でき、ユーザによる録画済み番組のチェックが煩雑となることが防止できる。
【００７８】
なお、この発明は、前記各実施の形態に限定されるものではなく、その実施の段階ではその要旨を逸脱しない範囲で種々な変形もしくは変更が可能である。また、各実施の形態は、可能な限り適宜組み合わせて、もしくは一部を削除して実施されてもよく、その場合は、組み合わせもしくは削除に起因したさまざまな効果が得られる。
【図面の簡単な説明】
【００７９】
【図１】この発明の実施の形態が適用可能な映像記録装置の構成の一例を示す概略図。
【図２】図１に示した映像記録装置と接続された表示装置に表示される「おまかせ自動録画」の『メニュー画面』の表示例を示す概略図。
【図３】図２に示した『メニュー画面』から『おまかせ一覧画面』が選択された場合の表示例を示す概略図。
【図４】図２および図３に示した「おまかせ番組録画対象番組（タイトル）」から自動的に番組を録画可能とする「おまかせ自動録画」において、映像記録装置に録画予約を設定する（サーバに保持されているおすすめ情報から「自動録画リスト」を作成する）工程の一例を説明するフローチャート。
【図５】図２ないし図４に示した「おまかせ自動録画」において、自動的に録画される番組を、ユーザが容易に識別可能とする録画方法を設定するための表示例を示す概略図。
【図６】図５に示した『フォルダ表示』において特定されるフォルダの構成を説明する概略図。
【図７】図５および図６に示した「おまかせ番組録画対象番組（タイトル）」から自動的に番組を録画可能とする「おまかせ自動録画」において、映像記録装置の記録／再生部のどこに録画された番組（タイトル）を記録するかを特定して記録する工程の一例を説明するフローチャート。
【符号の説明】
【００８０】
１…映像記録装置、１０…記録／再生部、２０…データ処理部、２４…音声映像処理部、３０…映像入力部、４０…映像出力部、４４…映像／音声出力端、５０…主制御部、５２…ＭＰＵ、５４…ＯＳＤ、６０…録画制御部、６１…録画情報制御部、６２…番組表生成部、６３…録画予約制御部、７０…表示制御部、７３…操作部、Ｒ…リモコン端末。
【図１】
2006324781.tif 000003
【図２】
2006324781.tif 000004
【図３】
2006324781.tif 000005
【図４】
2006324781.tif 000006
【図５】
2006324781.tif 000007
【図６】
2006324781.tif 000008
【図７】
2006324781.tif 000009